(57)【要約】【課題】液晶表示部の有無に拘わらず二次元コードを表示可能であり、且つ、表示した二次元コードの見落とし頻度を抑制することが可能な特典提供システム及び遊技台を提供する。【解決手段】特典提供システム１において、遊技台１０は、特典提供用の二次元コードを表示させる。遊技者は、端末２０を用いて、特典提供用の二次元コードを入力し、ホストコンピュータ３０にアクセスすることで、特典を取得することができる。特に、遊技台１０は、複数のリールと、その前面に設けられるパネルとからなるリール部を有し、リール部に特典提供用の二次元コードを表示させる。【選択図】図１
2008228790.tif 000002
【特許請求の範囲】
【請求項１】
複数種類のシンボルが描かれ且つ回転可能な複数のリール及び前記複数のリールの前面に設けられたパネルとからなるリール部を含み、複数のリール回転後に停止したシンボルの配置状態に応じて遊技媒体が払い出される共に、所定条件成立時には前記リール部に特典提供用の二次元コードを表示させる遊技台と、
前記遊技台に表示された特典提供用の二次元コードを入力可能な端末と、
前記端末に特典提供用の二次元コードが入力されて前記端末がアクセスしてきた場合、特典を前記端末のユーザに与えるサーバと、
を備えることを特徴とする特典提供システム。
【請求項２】
前記遊技台は、遊技中に各種演出画像を表示する液晶表示部をさらに含む
ことを特徴とする請求項１に記載の特典提供システム。
【請求項３】
前記遊技台は、前記リール部に特典提供用の二次元コードを表示させると共に、前記液晶表示部に補助用の二次元コードを表示させ、
前記サーバは、前記端末に特典提供用の二次元コードが入力されて前記端末がアクセスしてきた場合に、前記補助用の二次元コードの入力を前記端末のユーザに促し、前記補助用の二次元コードが前記端末に入力された場合に、特典を前記端末のユーザに与える
ことを特徴とする請求項２に記載の特典提供システム。
【請求項４】
前記遊技台は、前記リール部に特典提供用の二次元コードを表示させると共に、前記特典提供用の二次元コードが前記端末に入力されて前記端末が前記サーバにアクセスした場合に得られる特典の情報を、前記液晶表示部に表示させる
ことを特徴とする請求項２又は請求項３のいずれかに記載の特典提供システム。
【請求項５】
前記特典提供用の二次元コードは、前記パネルに描かれており、特定波長の光が照射されることにより遊技者に視認可能となり、
前記遊技台は、前記所定条件成立時に前記パネルに特定波長の光を照射することにより、前記特典提供用の二次元コードを表示させる
ことを特徴とする請求項１〜請求項４のいずれか１項に記載の特典提供システム。
【請求項６】
前記特典提供用の二次元コードは、前記複数のリールに描かれたシンボルの１つであって、
前記遊技台は、所定条件成立時にシンボルの１つである前記特典提供用の二次元コードを、遊技者が視認可能な位置に停止させる
ことを特徴とする請求項１〜請求項４のいずれか１項に記載の特典提供システム。
【請求項７】
前記特典提供用の二次元コードの一部は、前記複数のリールのうち、第１のリールのシンボルが描かれた領域を除く背景領域に描かれており、
前記特典提供用の二次元コードの他の一部は、前記複数のリールのうち、前記第１のリールに隣り合う第２のリールのシンボルが描かれた領域を除く背景領域に描かれており、
前記遊技台は、所定条件成立時に前記第１及び第２のリールそれぞれに描かれた特典提供用の二次元コードの一部分を組み合わせるように、前記第１及び第２のリールを停止させることにより、特典提供用の二次元コードを表示させる
ことを特徴とする請求項１〜請求項４のいずれか１項に記載の特典提供システム。
【請求項８】
前記特典提供用の二次元コードの一部は、前記複数のリールのうち、第１のリールのシンボルが描かれた領域を除く背景領域に描かれており、
前記特典提供用の二次元コードの他の一部は、前記複数のリールのうち、前記第１のリールに隣り合う第２のリールのシンボルが描かれた領域を除く背景領域に描かれており、
前記特典提供用の二次元コードの残部は、前記第１及び第２のリールに挟まれるリールカバーに描かれており、
前記遊技台は、所定条件成立時に前記第１及び第２のリールそれぞれに描かれた二次元コードの一部分と前記リールカバーに描かれた二次元コードの一部分とを組み合わせるように、前記第１及び第２のリールを停止させることにより、二次元コードを表示させる
ことを特徴とする請求項１〜請求項４のいずれか１項に記載の特典提供システム。
【請求項９】
前記特典提供用の二次元コードの一部は、前記複数のリールのうち、第１のリールのシンボルが描かれた領域を除く背景領域に描かれており、
前記特典提供用の二次元コードの他の一部は、前記複数のリールのうち、前記第１のリールに隣り合う第２のリールのシンボルが描かれた領域を除く背景領域に描かれており、
前記特典提供用の二次元コードの残部は、前記パネルのうち前記第１及び第２のリールに挟まれて遊技者に視認される領域に描かれており、
前記遊技台は、所定条件成立時に前記第１及び第２のリールそれぞれに描かれた特典提供用の二次元コードの一部分と前記パネルに描かれた特典提供用の二次元コードの一部分とを組み合わせるように前記第１及び第２のリールを停止させることにより、特典提供用の二次元コードを表示させる
ことを特徴とする請求項１〜請求項４のいずれか１項に記載の特典提供システム。
【請求項１０】
前記特典提供用の二次元コードの一部は、前記複数のリールのうち、１つのリールのシンボルが描かれた領域を除く背景領域に描かれており、
前記特典提供用の二次元コードの残部は、前記パネルのうち前記１つのリールに隣り合って遊技者に視認される領域に描かれており、
前記遊技台は、所定条件成立時に前記１つのリールに描かれた特典提供用の二次元コードの一部分と前記パネルに描かれた特典提供用の二次元コードの一部分とを組み合わせるように前記１つのリールを停止させることにより、特典提供用の二次元コードを表示させる
ことを特徴とする請求項１〜請求項４のいずれか１項に記載の特典提供システム。
【請求項１１】
前記遊技台は、複数種類の特典提供用の二次元コードを表示可能となっている
ことを特徴とする請求項１〜請求項１０のいずれか１項に記載の特典提供システム。
【請求項１２】
複数種類のシンボルが描かれ且つ回転可能な複数のリール及び前記複数のリールの前面に設けられたパネルとからなるリール部を含み、複数のリール回転後に停止したシンボルの配置状態に応じて遊技媒体が払い出される共に、所定条件成立時には端末が入力可能であって前記端末のユーザに特典を与えるための特典提供用の二次元コードを、前記リール部に表示させる
を備えることを特徴とする遊技台。
【発明の詳細な説明】
【技術分野】
【０００１】
本発明は、特典提供システム、及び遊技台に関する。
【背景技術】
【０００２】
従来、インターネット回線を利用して遊技台の設置店舗に来店した来店者に特典を提供する特典提供システムが知られている。このシステムによれば、インターネットＷｅｂのＵＲＬの情報が書き込まれた二次元コード（いわゆるＱＲコード）を遊技台の液晶表示部に表示させる。来店者は携帯電話により表示されたＱＲコードを撮影することにより、所定のＷｅｂサイトにアクセスでき、着信メロディーや待ち受け画像などの特典を取得することができる（特許文献１参照）。
【特許文献１】特開２００６−３２５７５９号公報
【発明の開示】
【発明が解決しようとする課題】
【０００３】
しかし、従来では、ＱＲコードが遊技台の液晶表示部に表示されてしまう。このため、液晶表示部を有さない遊技台においては、ＱＲコードを表示するができなくなってしまう。また、液晶表示部を有する遊技台においても、その遊技台を多くプレーした遊技者のなかには液晶表示部の演出を見ない者がおり、液晶表示部にＱＲコードを表示しても、遊技者がＱＲコードを見落としてしまう可能性があった。
【０００４】
本発明は、このような従来の課題を解決するためになされたものであり、その目的とするところは、液晶表示部の有無に拘わらず二次元コードを表示可能であり、且つ、表示した二次元コードの見落とし頻度を抑制することが可能な特典提供システム及び遊技台を提供することにある。
【課題を解決するための手段】
【０００５】
上記目的を達成するため、本発明に係る特典提供システムは、遊技台と、端末と、サーバとを備えている。遊技台は、複数種類のシンボルが描かれ且つ回転可能な複数のリール及び複数のリールの前面に設けられたパネルとからなるリール部を含み、複数のリール回転後に停止したシンボルの配置状態に応じて遊技媒体が払い出される共に、所定条件成立時にはリール部に特典提供用の二次元コードを表示させるものである。端末は、遊技台に表示された特典提供用の二次元コードを入力可能なものである。サーバは、端末に特典提供用の二次元コードが入力されて端末がアクセスしてきた場合、特典を端末のユーザに与えるものである。
【０００６】
また、特典提供システムにおいて、遊技台は、遊技中に各種演出画像を表示する液晶表示部をさらに含むことが好ましい。
【０００７】
また、特典提供システムにおいて、遊技台は、リール部に特典提供用の二次元コードを表示させると共に、液晶表示部に補助用の二次元コードを表示させ、サーバは、端末に特典提供用の二次元コードが入力されて端末がアクセスしてきた場合に、補助用の二次元コードの入力を端末のユーザに促し、補助用の二次元コードが端末に入力された場合に、特典を端末のユーザに与えることが好ましい。
【０００８】
また、特典提供システムにおいて、遊技台は、リール部に特典提供用の二次元コードを表示させると共に、特典提供用の二次元コードが端末に入力されて端末がサーバにアクセスした場合に得られる特典の情報を、液晶表示部に表示させることが好ましい。
【０００９】
また、特典提供システムにおいて、特典提供用の二次元コードは、パネルに描かれており、特定波長の光が照射されることにより遊技者に視認可能となり、遊技台は、所定条件成立時にパネルに特定波長の光を照射することにより、特典提供用の二次元コードを表示させることが好ましい。
【００１０】
また、特典提供システムにおいて、特典提供用の二次元コードは、複数のリールに描かれたシンボルの１つであって、遊技台は、所定条件成立時にシンボルの１つである特典提供用の二次元コードを、遊技者が視認可能な位置に停止させることが好ましい。
【００１１】
また、特典提供システムにおいて、特典提供用の二次元コードの一部は、複数のリールのうち、第１のリールのシンボルが描かれた領域を除く背景領域に描かれており、特典提供用の二次元コードの他の一部は、複数のリールのうち、第１のリールに隣り合う第２のリールのシンボルが描かれた領域を除く背景領域に描かれており、遊技台は、所定条件成立時に第１及び第２のリールそれぞれに描かれた特典提供用の二次元コードの一部分を組み合わせるように、第１及び第２のリールを停止させることにより、特典提供用の二次元コードを表示させることが好ましい。
【００１２】
また、特典提供システムにおいて、特典提供用の二次元コードの一部は、複数のリールのうち、第１のリールのシンボルが描かれた領域を除く背景領域に描かれており、特典提供用の二次元コードの他の一部は、複数のリールのうち、第１のリールに隣り合う第２のリールのシンボルが描かれた領域を除く背景領域に描かれており、特典提供用の二次元コードの残部は、第１及び第２のリールに挟まれるリールカバーに描かれており、遊技台は、所定条件成立時に第１及び第２のリールそれぞれに描かれた二次元コードの一部分とリールカバーに描かれた二次元コードの一部分とを組み合わせるように、第１及び第２のリールを停止させることにより、二次元コードを表示させることが好ましい。
【００１３】
また、特典提供システムにおいて、特典提供用の二次元コードの一部は、複数のリールのうち、第１のリールのシンボルが描かれた領域を除く背景領域に描かれており、特典提供用の二次元コードの他の一部は、複数のリールのうち、第１のリールに隣り合う第２のリールのシンボルが描かれた領域を除く背景領域に描かれており、特典提供用の二次元コードの残部は、パネルのうち第１及び第２のリールに挟まれて遊技者に視認される領域に描かれており、遊技台は、所定条件成立時に第１及び第２のリールそれぞれに描かれた特典提供用の二次元コードの一部分とパネルに描かれた特典提供用の二次元コードの一部分とを組み合わせるように第１及び第２のリールを停止させることにより、特典提供用の二次元コードを表示させることが好ましい。
【００１４】
また、特典提供システムにおいて、特典提供用の二次元コードの一部は、複数のリールのうち、１つのリールのシンボルが描かれた領域を除く背景領域に描かれており、特典提供用の二次元コードの残部は、パネルのうち１つのリールに隣り合って遊技者に視認される領域に描かれており、遊技台は、所定条件成立時に１つのリールに描かれた特典提供用の二次元コードの一部分とパネルに描かれた特典提供用の二次元コードの一部分とを組み合わせるように１つのリールを停止させることにより、特典提供用の二次元コードを表示させることが好ましい。
【００１５】
また、特典提供システムにおいて、遊技台は、複数種類の特典提供用の二次元コードを表示可能となっていることが好ましい。
【００１６】
また、上記目的を達成するため、本発明に係る遊技台は、複数種類のシンボルが描かれ且つ回転可能な複数のリール及び複数のリールの前面に設けられたパネルとからなるリール部を含み、複数のリール回転後に停止したシンボルの配置状態に応じて遊技媒体が払い出される共に、所定条件成立時には端末が入力可能であって端末のユーザに特典を与えるための特典提供用の二次元コードを、リール部に表示させる。
【発明の効果】
【００１７】
本発明に係る特典提供システムによれば、リール部に特典提供用の二次元コードを表示させる。このため、液晶表示部を有さなくとも二次元コードを表示することができる。また、リール部はリーチ目の確認など液晶表示部に比べて遊技者が注意して視認する可能性が高く、リール部に二次元コードを表示させることにより、二次元コードの見落とし頻度を抑制することができる。従って、液晶表示部の有無に拘わらず二次元コードを表示可能であり、且つ、表示した二次元コードの見落とし頻度を抑制することができる。
【００１８】
また、遊技台は、遊技中に各種演出画像を表示する液晶表示部をさらに含むため、特典提供用の二次元コードは液晶表示部に表示されることが普通であるが、液晶表示部があるにも拘わらず、あえてリール部に特典提供用の二次元コードを表示することとなり、遊技者にとっては特典提供用の二次元コードの表示が一層印象的となり、面白味を持たせることができる。従って、遊技台の稼働率向上に寄与することができる。
【００１９】
また、遊技台は、リール部に特典提供用の二次元コードを表示させると共に、液晶表示部に補助用の二次元コードを表示させ、サーバは、特典提供用の二次元コードのみならず、補助用の二次元コードが前記端末に入力された場合に、特典を端末のユーザに与える。このため、何らかの不正手段により特典提供用の二次元コードが端末に入力されてしまっても、補助用の二次元コードの入力も要するため、不正に特典が取得されてしまうことを抑制することができる。
【００２０】
また、リール部に特典提供用の二次元コードを表示させると共に、特典提供用の二次元コードが端末に入力されることにより得られる特典の情報を、液晶表示部に表示させる。このため、遊技者は特典提供用の二次元コードを入力して得られる特典が何であるかを事前に知ることができ、遊技者に二次元コードを入力すべきかを選択させることができる。従って、遊技者に便宜をはかることができる。
【００２１】
また、所定条件成立時にはパネルに特定波長の光を照射することにより、特典提供用の二次元コードを表示させる。このため、特定波長の光が照射さない限り、特典提供用の二次元コードが表示されず、遊技者には一見して従来の遊技台と同様に見えるため、リール部の美観を損なうことを抑制することができる。
【００２２】
また、特典提供用の二次元コードは複数のリールに描かれたシンボルの１つであって、所定条件成立時に特典提供用の二次元コードを、遊技者が視認可能な位置に停止させる。このため、現在の遊技台において利用しているリール制御を用いて、特典提供用の二次元コードを表示させることができる。
【００２３】
また、特典提供用の二次元コードの一部は第１のリールの背景領域に描かれており、特典提供用の二次元コードの他の一部は第１のリールに隣り合う第２のリールの背景領域に描かれており、遊技台は、所定条件成立時に二次元コードの一部分を組み合わせるように第１及び第２のリールを停止させることにより、特典提供用の二次元コードを表示させる。このため、雑誌やカタログに特典提供用の二次元コードが掲載されたとしても、特典提供用の二次元コードが分割されて掲載されるため、不正に特典が取得されてしまうことを抑制することができる。
【００２４】
また、特典提供用の二次元コードの一部は第１のリールの背景領域に描かれており、特典提供用の二次元コードの他の一部は第１のリールに隣り合う第２のリールの背景領域に描かれており、特典提供用の二次元コードの残部は、第１及び第２のリールに挟まれるリールカバーに描かれている。さらに、遊技台は、所定条件成立時に二次元コードの一部分を組み合わせるように第１及び第２のリールを停止させることにより、特典提供用の二次元コードを表示させる。このため、雑誌やカタログに特典提供用の二次元コードが掲載されたとしても、特典提供用の二次元コードが分割されて掲載される。特に、特典提供用の二次元コードの残部はリールカバーに描かれているため、雑誌やカタログに掲載される可能性が低く、不正に特典が取得されてしまうことを一層抑制することができる。
【００２５】
また、特典提供用の二次元コードの一部は第１のリールの背景領域に描かれており、特典提供用の二次元コードの他の一部は第１のリールに隣り合う第２のリールの背景領域に描かれており、特典提供用の二次元コードの残部は、第１及び第２のリールに挟まれて視認されるパネル部分に描かれている。さらに、遊技台は、所定条件成立時に特典提供用の二次元コードの一部分を組み合わせるように、第１及び第２のリールを停止させることにより、特典提供用の二次元コードを表示させる。このため、雑誌やカタログに特典提供用の二次元コードが掲載されたとしても、特典提供用の二次元コードが分割されて掲載される。特に、特典提供用の二次元コードの残部はパネルに描かれているため、雑誌やカタログに掲載される可能性が低く、不正に特典が取得されてしまうことを一層抑制することができる。
【００２６】
また、特典提供用の二次元コードの一部は１つのリールの背景領域に描かれており、特典提供用の二次元コードの残部は、１つのリールに隣り合って視認されるパネル部分に描かれている。さらに、遊技台は、所定条件成立時に特典提供用の二次元コードの一部分を組み合わせるように１つのリールを停止させることにより、特典提供用の二次元コードを表示させる。このため、雑誌やカタログに特典提供用の二次元コードの一部が掲載されたとしても、残部はパネルに描かれているため、雑誌やカタログに掲載される可能性が低く、不正に特典が取得されてしまうことを一層抑制することができる。
【００２７】
また、遊技台は、複数種類の特典提供用の二次元コードを表示可能となっている。このため、表示させる特典提供用の二次元コードに応じて取得させる特典を分けることができる。
【００２８】
また、本発明に係る遊技台によれば、リール部に特典提供用の二次元コードを表示させる。このため、液晶表示部を有さなくとも二次元コードを表示することができる。また、リール部はリーチ目の確認など液晶表示部に比べて遊技者が注意して視認する可能性が高く、リール部に二次元コードを表示させることにより、二次元コードの見落とし頻度を抑制することができる。従って、液晶表示部の有無に拘わらず二次元コードを表示可能であり、且つ、表示した二次元コードの見落とし頻度を抑制することができる。
【発明を実施するための最良の形態】
【００２９】
以下、本発明の好適な実施形態を図面に基づいて説明する。図１は、本発明の第１実施形態に係る特典提供システムの構成図である。同図に示すように、特典提供システム１は、遊技台１０の設置店舗１００に来店した遊技者に特典を与えるものである。この特典提供用システム１は、特典提供用の二次元コードを表示する遊技台１０と、遊技台１０に表示された特典提供用の二次元コードを撮影可能（入力可能）な端末２０とを備えている。さらに、特典提供システム１は、端末２０に特典提供用の二次元コードが入力されてアクセスしてきた場合、特典を端末２０のユーザに与えるホストコンピュータ（サーバ）３０と、端末２０とホストコンピュータ３０とを接続するインターネット回線４０とを備えている。
【００３０】
なお、端末２０は、携帯電話が該当するが、ＰＨＳやパーソナルコンピュータなど通信可能な機器であれば他のものであってもよい。また、特典は、着信メロディーや待ち受け画像などであってもよいし、遊技台１０の攻略情報であってもよい。さらに、特典は、景品や現金のキャッシュバックなどであってもよい。特典が着信メロディー、待ち受け画像及び攻略情報である場合、ホストコンピュータ３０から端末２０に情報送信することにより、特典を与えてもよいし、情報が記憶された媒体を郵送して特典を与えてもよい。特典が景品である場合、ホストコンピュータ３０が景品の発送処理を行い、端末２０のユーザに景品を郵送することで、特典を与える。特典が現金である場合、ホストコンピュータ３０が銀行振り込み処理を行い、端末２０のユーザの口座に現金を振り込むことで、特典を与える。
【００３１】
図２は、図１に示した遊技台１０の外観を示す外観斜視図であり、図３は、図１に示した遊技台１０の要部構成図である。図２に示すように、遊技台１０は、例えば回動式遊技機であって、上部ボックス１０ａと下部ボックス１０ｂとを有している。上部ボックス１０ａには液晶表示部１１が設けられている。液晶表示部１１は遊技中に各種の演出画像を表示するものである。
【００３２】
下部ボックス１０ｂにはリール部１２、メダル投入口１３、マックスベットボタン１４、スピンレバー１５、リール停止ボタン１６、及びメダル払出口１７などが設けられており、回動式遊技機の実質的なゲームの進行を行えるようになっている。図２及び図３に示すリール部１２は、「７」「ベル」「チェリー」などの複数種類のシンボルが描かれ且つ回転可能な複数（第１実施形態では３つ）のリール１２ａと、複数のリールの前面（遊技者側）に設けられたパネル１２ｂとからなっている。
【００３３】
メダル投入口１３は、遊技媒体であるメダルを投入する部分である。このメダル投入口１３の奥側にはメダルセンサ１３ａが設けられている。メダルセンサ１３ａは、例えばフォトセンサにより構成され、投入されたメダルの枚数をカウントする構成となっている。マックスベットボタン１４は、遊技台１０にクレジットが存在する場合に押下されることによって、遊技台１０のクレジットをベットするものである。
【００３４】
スピンレバー１５は、クレジットがベットされた状態で操作されることにより、複数のリール１２ａを回転させるものである。リール停止ボタン１６は、複数のリール１２ａのそれぞれと対応付けて設けられており、それぞれのボタンが押下されることにより回転するリールが停止する構成となっている。
【００３５】
メダル払出口１７は、遊技媒体であるメダルを払い出す部分である。メダル払出口１７の奥側にはホッパー１７ａが設けられており、メダルはホッパー１７ａの動作によって払い出されるようになっている。
【００３６】
このような遊技台１０で遊技するには、遊技者がメダル投入口１３にメダルを投入するか、マックスベットボタン１４を操作して遊技台１０にクレジットをベットし、スピンレバー１５を操作する。これにより、複数のリール１２ａのそれぞれが回転する。その後、遊技者がリール停止ボタン１６を操作することにより、複数のリール１２ａを全て停止させる。遊技台１０は、この停止時において配置されるシンボルの配置状態に応じて遊技媒体を払い出す。払い出しにあたり遊技機１０は、クレジット数が「５０」未満である場合、「５０」を上限としてクレジット数を増加させ、「５０」を超える場合には超えたクレジット数に相当するメダルをメダル払出口１７から払い出す。
【００３７】
さらに、図３に示すように、遊技台１０は、制御部１８と、発光部１９とを備えている。制御部１８は、遊技台１０の全体を制御するものであって、条件判断部１８ａと、液晶制御部１８ｂと、リール制御部１８ｃと、発光制御部１８ｄとを有している。
【００３８】
条件判断部１８ａは、各種条件が成立したか否かを判断するものである。例えば、条件判断部１８ａは、遊技台１０にクレジットがベットされ、スピンレバー１５が操作されると、乱数を発生させ、乱数値に基づいてビッグボーナス条件が成立したか否かを判断する。また、条件判断部１８ａは、小役成立条件についても成立したか否かを判断する構成となっている。さらに、第１実施形態に係る条件判断部１８ａは、特典提供用の二次元コードの表示条件（所定条件）が成立したか否かを判断する構成となっている。特典提供用の二次元コードの表示条件についても、大当たり条件と同様に、乱数を発生させて成立したか否かを判断する。
【００３９】
液晶制御部１８ｂは、液晶表示部１１に表示させる画像を制御するものである。この液晶制御部１８ｂは、例えば一般演出画像や、ビッグボーナスの期待が大きい発展演出画像や、ビッグボーナス時の演出画像などを表示する構成となっている。
【００４０】
リール制御部１８ｃは、複数のリール１２ａの回転を制御するものである。例えば、ビッグボーナス条件が成立していない場合、リール制御部１８ｃは、すべり制御等によって「７」が揃わないようにする。
【００４１】
発光制御部１８ｄは、発光部１９の発光制御を行うものである。発光部１９は、特定波長の光を照射可能に構成されたものであり、例えば発光ダイオードによって構成されている。また、発光制御部１８ｄは、発光部１９を発光させることにより、発光部１９からの光をパネル１２ｂに向けて照射させる構成となっている。
【００４２】
ここで、パネル１２ｂには、特殊インクなどにより特典提供用の二次元コードが描かれている。この特典提供用の二次元コードは、通常時には視認されないが、発光部１９からの特定波長の光が照射されたときには像が浮かび上がり、視認される構成となっている。図４は、特典提供用の二次元コードの表示例を示す図である。例えば、特典提供用の二次元コードＡは、パネル１２ｂの中央部、すなわち遊技者の視界に最も入りやすい箇所に表示される。このように表示することで、液晶表示部１１を有さなくとも特典提供用の二次元コードＡを表示でき、二次元コードＡを液晶表示部１１に表示させるよりも見落としの頻度を抑制している。しかも、第１実施形態に係る遊技台１０は、通常の遊技中において特典提供用の二次元コードＡが見えないことから邪魔にならず、所定条件成立時にのみに遊技者に特典提供用の二次元コードを視認させることとなる。
【００４３】
なお、液晶制御部１８ｂは、特典提供用の二次元コードＡが表示されたことにあわせて、補助用の二次元コードを表示させることが望ましい。ここで、特典提供用の二次元コードＡはパネル１２ｂに特殊インクなどで描かれているため、特定波長の光を何らかの手段で照射した場合には不正に特典が取得されてしまう。ところが、補助用の二次元コードを表示させ、特典提供用の二次元コードＡ及び補助用の二次元コードの端末への入力を条件に特典を与えることで、不正に特典が取得されてしまうことを抑制することができる。
【００４４】
また、液晶制御部１８ｂは、特典提供用の二次元コードＡが表示されたことにあわせて、特典提供用の二次元コードＡが端末２０に入力されて端末２０がホストコンピュータ３０にアクセスした場合に得られる特典の情報を表示することが望ましい。これにより、遊技者は特典提供用の二次元コードＡを入力して得られる特典が何であるかを事前に知ることができ、遊技者に二次元コードＡを入力すべきかを選択させることができるからである。
【００４５】
なお、図２及び図３において回動式遊技機を遊技台１０の一例として説明したが、これに限らず、遊技台１０はリール部１２を有するゲーム機やパチンコ遊技機などであってもよい。
【００４６】
図５は、図１に示したホストコンピュータ３０の概略構成図である。図５に示すように、ホストコンピュータ３０は、通信部３１と、処理部３２と、画像情報記憶部３３と、特典情報記憶部３４とからなっている。
【００４７】
通信部３１は、端末２０に情報送信したり、端末２０からの情報を受信したりするものである。端末２０が遊技台１０に表示される特典提供用の二次元コードＡを撮影し、所定操作（例えばホストコンピュータ３０が管理するＷｅｂサイトへのアクセスを許可する許可操作）された場合、端末２０はインターネット回線４０を通じてホストコンピュータ３０に接続される。端末２０とホストコンピュータ３０との通信は、通信部３１を通じて行われる。
【００４８】
処理部３２は、ホストコンピュータ３０の全体を制御するものである。画像情報記憶部３３は、ホストコンピュータ３０に接続した端末２０に表示させる画像の情報を記憶したものである。特典情報記憶部３４は、待ち受け画像、着メロ、遊技台攻略情報、景品及びキャッシュバック額など、来店者に取得させる特典の情報を記憶したものである。
【００４９】
このようなホストコンピュータ３０は、端末２０が特典提供用の二次元コードＡを入力してアクセスしてくると、通信部３１を介した通信接続を許可する。通信接続されると、処理部３２は、画像情報記憶部３３に記憶される画像を読み出し、端末２０に対して送信する。
【００５０】
図６は、端末に表示される表示画像の一例を示す図であり、（ａ）は第１の例を示し、（ｂ）は第２の例を示している。例えば、図６（ａ）に示すように、処理部３２は、特典を選択させる選択画像の情報を読み出し、端末２０に選択画像を表示させる。具体的に選択画像には、着メロをダウンロードさせる第１メニューＭ１と、待ち受け画像をダウンロードさせる第２メニューＭ２と、スロットマシンの攻略情報をダウンロードさせる第３メニューＭ３とが表示されている。端末２０のユーザは、いずれかのメニューＭ１〜Ｍ３を選択することにより、特典情報をダウンロードすることができる。
【００５１】
また、例えば、図６（ｂ）に示すように、処理部３２は、景品の発送手続きを行う入力画像の情報を読み出し、端末２０に入力画像を表示させる。具体的に入力画像には、郵便番号を入力させる第４メニューＭ４と、都道府県を入力させる第５メニューＭ５と、住所を入力させる第６メニューＭ６と、景品到着曜日及び時刻を入力させる第７メニューＭ７とが表示されている。端末２０のユーザは、これらのメニューＭ４〜Ｍ７全てに入力することにより、特典である景品を郵送により取得することができる。
【００５２】
次に、第１実施形態に係る特典提供システム１の動作を説明する。図７は、第１実施形態に係る特典提供システム１の処理を示すフローチャートである。なお、以下に示す処理では、遊技台１０が回動式遊技機であり、着メロ等をダウンロードさせることにより遊技者に特典を与える場合を例に説明する。
【００５３】
まず、図７に示すように、遊技台１０の条件判断部１８ａは、特典提供用の二次元コードＡの表示条件が成立したか否かを判断する（ステップＳ１）。表示条件が成立していないと判断した場合（ステップＳ１：ＮＯ）、図７に示す処理は終了する。一方、表示条件が成立したと判断した場合（ステップＳ１：ＹＥＳ）、発光制御部１８ｄは、発光部１９を発光させる（ステップＳ２）。これにより、特典提供用の二次元コードＡがパネル１２ｂ上に表示される。
【００５４】
さらに、液晶制御部１８ｂは、液晶表示部１１に補助用の二次元コードと、ダウンロード可能な情報を示すダウンロード可能情報を表示させる（ステップＳ３）。その後、端末２０は、特典提供用の二次元コードＡが撮影されたか否かを判断する（ステップＳ４）。特典提供用の二次元コードＡが撮影されていないと判断した場合（ステップＳ４：ＮＯ）、図７に示す処理は終了する。一方、特典提供用の二次元コードＡが撮影されたと判断した場合（ステップＳ４：ＹＥＳ）、端末２０は、撮影した特典提供用の二次元コードＡに基づいて、ホストコンピュータ３０にアクセスする。これにより、ホストコンピュータ３０は、画像情報記憶部３３に記憶される初期画像の情報を読み出して端末２０に送信し、端末２０に初期画像を表示させる（ステップＳ５）。初期画像は、補助用の二次元コードの撮影を促す情報が含まれている。
【００５５】
その後、端末２０は、補助用の二次元コードが撮影されたか否かを判断する（ステップＳ６）。補助用の二次元コードが撮影されていないと判断した場合（ステップＳ６：ＮＯ）、図７に示す処理は終了する。一方、補助用の二次元コードが撮影されたと判断した場合（ステップＳ６：ＹＥＳ）、ホストコンピュータ３０は、画像情報記憶部３３に記憶される選択画像の情報を読み出して端末２０に送信し、端末２０に選択画面を表示させる（ステップＳ７）。
【００５６】
その後、ホストコンピュータ３０は、選択操作があったか否かを判断する（ステップＳ８）。選択操作がなかったと判断した場合（ステップＳ８：ＮＯ）、図７に示す処理は終了する。一方、選択操作があったと判断した場合（ステップＳ８：ＹＥＳ）、ホストコンピュータ３０は、選択された特典の情報をダウンロードさせる（ステップＳ９）。その後、図７に示す処理は終了する。
【００５７】
このようにして、第１実施形態に係る特典提供システム１及び遊技台１０によれば、リール部１２に特典提供用の二次元コードＡを表示させる。このため、液晶表示部１１を有さなくとも二次元コードＡを表示することができる。また、リール部１２はリーチ目の確認など液晶表示部１１に比べて遊技者が注意して視認する可能性が高く、リール部１２に二次元コードＡを表示させることにより、二次元コードＡの見落とし頻度を抑制することができる。従って、液晶表示部１１の有無に拘わらず二次元コードＡを表示可能であり、且つ、表示した二次元コードＡの見落とし頻度を抑制することができる。
【００５８】
また、遊技台は、遊技中に各種演出画像を表示する液晶表示部１１をさらに含むため、特典提供用の二次元コードＡは液晶表示部１１に表示されることが普通であるが、液晶表示部１１があるにも拘わらず、あえてリール部１２に特典提供用の二次元コードＡを表示することとなる。これにより、遊技者にとっては特典提供用の二次元コードＡの表示が一層印象的となり、遊技者に面白味を持たせることができる。従って、遊技台の稼働率向上に寄与することができる。
【００５９】
また、リール部１２に特典提供用の二次元コードＡを表示させると共に、液晶表示部１１に補助用の二次元コードを表示させ、ホストコンピュータ３０は、特典提供用の二次元コードＡのみならず、補助用の二次元コードが端末２０に入力された場合に、特典を端末２０のユーザに与える。このため、何らかの不正手段により特典提供用の二次元コードＡが端末２０に入力されてしまっても、補助用の二次元コードの入力も要するため、不正に特典が取得されてしまうことを抑制することができる。
【００６０】
また、リール部１２に特典提供用の二次元コードＡを表示させると共に、特典提供用の二次元コードＡが端末に入力されることにより得られる特典の情報を、液晶表示部１１に表示させる。このため、遊技者は特典提供用の二次元コードＡを入力して得られる特典が何であるかを事前に知ることができ、遊技者に二次元コードＡを入力すべきかを選択させることができる。従って、遊技者に便宜をはかることができる。
【００６１】
また、所定条件成立時にはパネル１２ｂに特定波長の光を照射することにより、特典提供用の二次元コードＡを表示させる。このため、特定波長の光が照射さない限り、特典提供用の二次元コードＡが表示されず、遊技者には一見して従来の遊技台と同様に見えるため、リール部１２の美観を損なうことを抑制することができる。
【００６２】
次に、本発明の第２実施形態を説明する。第２実施形態に係る特典提供システムは、第１実施形態のものと同様であるが、構成及び処理内容が一部異なっている。以下、第１実施形態との相違点を説明する。
【００６３】
図８は、第２実施形態に係る特典提供用の二次元コードＡを示す図である。図８に示すように、特典提供用の二次元コードＡは、複数のリール１２ａのうち中央リール１２ａ２に描かれたシンボルの１つである。なお、第２実施形態において特典提供用の二次元コードＡは、左リール１２ａ１又は右リール１２ａ３に描かれたシンボルの１つであってもよい。
【００６４】
図９は、第２実施形態に係る遊技台１０の要部を示す図である。図９に示すように、第２実施形態に係る遊技台１０は、発光部１９を有していない。また、制御部１８は、発光制御部１８ｄを有していない。
【００６５】
また、第２実施形態に係るリール制御部１８ｃは、所定条件成立時にシンボルの１つである特典提供用の二次元コードＡを、遊技者が視認可能な位置に停止させる。逆に所定条件が成立していない場合、リール制御部１８ｃは、スベリ制御などを利用して特典提供用の二次元コードＡを、遊技者が視認可能な位置に停止させない。このように、第２実施形態に係る遊技台１０は所定条件成立時のみに特典提供用の二次元コードＡを表示させるようになっている。
【００６６】
次に、第２実施形態に係る特典提供システム１の動作を説明する。第２実施形態に係る特典提供システム１の処理は、第１実施形態のものと同様である。しかし、第２実施形態において遊技台１０は、発光部１９を備えていない。このため、図７に示したステップＳ２の発光処理に代えて、リール制御処理が実行されることとなる。そして、遊技台１０は、リール制御により特典提供用の二次元コードＡを表示することとなる。他の処理は、第１実施形態と同じである。
【００６７】
このようにして、第２実施形態に係る特典提供システム１及び遊技台１０によれば、第１実施形態と同様に、液晶表示部１１の有無に拘わらず二次元コードＡを表示可能であり、且つ、表示した二次元コードＡの見落とし頻度を抑制することができる。また、遊技台の稼働率向上に寄与することができ、不正に特典が取得されてしまうことを抑制することができる。また、遊技者に便宜をはかることができる。
【００６８】
さらに、第２実施形態によれば、特典提供用の二次元コードＡは複数のリール１２ａに描かれたシンボルの１つであって、所定条件成立時には特典提供用の二次元コードＡを、遊技者が視認可能な位置に停止させる。このため、現在の遊技台において利用しているリール制御を用いて、特典提供用の二次元コードを表示させることができる。
【００６９】
次に、本発明の第３実施形態を説明する。第３実施形態に係る特典提供システムは、第２実施形態のものと同様であるが、構成及び処理内容が一部異なっている。以下、第２実施形態との相違点を説明する。
【００７０】
図１０は、第３実施形態に係る特典提供用の二次元コードＡを示す図である。図１０に示すように、特典提供用の二次元コードＡの一部Ａ１は、複数のリール１２ａのうち、左リール（第１のリール）１２ａ１のシンボルが描かれた領域を除く背景領域Ｂ１に描かれている。また、特典提供用の二次元コードＡの他の一部Ａ２は、複数のリール１２ａのうち、左のリール１２ａ１に隣り合う中央リール（第２のリール）１２ａ２のシンボルが描かれた領域を除く背景領域Ｂ２に描かれている。
【００７１】
また、第３実施形態に係るリール制御部１８ｃは、所定条件成立時に左リール１２ａ１及び中央リール１２ａ２それぞれに描かれた特典提供用の二次元コードＡの一部分を組み合わせるように、左リール１２ａ１及び中央リール１２ａ２を停止させることにより、特典提供用の二次元コードＡを表示させる。逆に、所定条件が成立していない場合、リール制御部１８ｃは、左リール１２ａ１及び中央リール１２ａ２それぞれに描かれた特典提供用の二次元コードＡの一部分を組み合わせるように停止させず、特典提供用の二次元コードＡを表示させない。
【００７２】
なお、図１０において、特典提供用の二次元コードＡの一部Ａ１，Ａ２は、左リール１２ａ１及び中央リール１２ａ２の背景領域Ｂ１，Ｂ２に描かれているが、これに限らず、中央リール１２ａ２及び右リール１２ａ３の背景領域Ｂ２，Ｂ３に描かれていてもよい。
【００７３】
このようにして、第３実施形態に係る特典提供システム１及び遊技台１０によれば、第１実施形態と同様に、液晶表示部１１の有無に拘わらず二次元コードＡを表示可能であり、且つ、表示した二次元コードＡの見落とし頻度を抑制することができる。また、遊技台の稼働率向上に寄与することができ、不正に特典が取得されてしまうことを抑制することができる。また、遊技者に便宜をはかることができる。
【００７４】
さらに、第３実施形態によれば、特典提供用の二次元コードＡの一部Ａ１は左リール１２ａ１の背景領域Ｂ１に描かれており、特典提供用の二次元コードの他の一部は左リール１２ａ１に隣り合う中央リール１２ａ２の背景領域Ｂ２に描かれており、遊技台１０は、所定条件成立時に二次元コードＡの一部分を組み合わせるように左リール１２ａ１及び中央リール１２ａ２を停止させることにより、特典提供用の二次元コードＡを表示させる。このため、雑誌やカタログに特典提供用の二次元コードＡが掲載されたとしても、特典提供用の二次元コードＡが分割されて掲載されるため、不正に特典が取得されてしまうことを抑制することができる。特典提供用の二次元コードＡの一部Ａ１，Ａ２がそれぞれ中央リール１２ａ２と右リール１２ａ３に描かれている場合も同様である。
【００７５】
次に、本発明の第４実施形態を説明する。第４実施形態に係る特典提供システムは、第２実施形態のものと同様であるが、構成及び処理内容が一部異なっている。以下、第２実施形態との相違点を説明する。
【００７６】
図１１は、第４実施形態に係る特典提供用の二次元コードＡを示す図である。図１１に示すように、特典提供用の二次元コードＡの一部Ａ１は、複数のリール１２ａのうち、中央リール（第１のリール）１２ａ２のシンボルが描かれた領域を除く背景領域Ｂ２に描かれている。また、特典提供用の二次元コードＡの他の一部Ａ２は、複数のリール１２ａのうち、中央リール１２ａ２に隣り合う右リール（第２のリール）１２ａ３のシンボルが描かれた領域を除く背景領域Ｂ３に描かれている。
【００７７】
さらに、第４実施形態においてリール部１２は、それぞれ隣り合うリール１２ａとの間に、リールカバー１２ａ４，１２ａ５を有している。これらリールカバー１２ａ４，１２ａ５は、複数のリール１２ａ同士の隙間から、内部のモータ等が視認されないようにするためのものである。このため、左リールカバー１２ａ４は、左リール１２ａ１と中央リール１２ａ２との間に挟まれて遊技者に視認される。一方、右リールカバー１２ａ５は、中央リール１２ａ２と右リール１２ａ３との間に挟まれて遊技者に視認される。また、第４実施形態において、特典提供用の二次元コードＡの残部Ａ３は、右リールカバー１２ａ５に描かれている。
【００７８】
なお、リールカバー１２ａ４，１２ａ５には３タイプのものがある。１つ目は、リール１２ａの外周側に設けられ、リール１２ａの一部分を覆い隠すタイプである。２つ目は、リール１２ａの内周側に設けられ、リール１２ａによってリールカバー１２ａ４，ａ１２ａ５の一部分が覆い隠されるタイプである。３つ目は、リール１２ａと面一となって、リール１２ａ及びリールカバー１２ａ４，ａ１２ａ５の双方が互いに覆い隠されることなく、配置されるタイプのものである。図１１では、１つ目のタイプのものを図示している。
【００７９】
また、第４実施形態に係るリール制御部１８ｃは、所定条件成立時に中央リール１２ａ２と右リール１２ａ３それぞれに描かれた二次元コードＡの一部分Ａ１，Ａ２と右リールカバー１２ａ５に描かれた二次元コードＡの一部分Ａ３とを組み合わせるように、中央リール１２ａ２と右リール１２ａ３を停止させることにより、二次元コードＡを表示させる。逆に、所定条件が成立していない場合、リール制御部１８ｃは、中央リール１２ａ２と右リール１２ａ３それぞれに描かれた特典提供用の二次元コードＡの一部分Ａ１〜Ａ３を組み合わせるように停止させず、特典提供用の二次元コードＡを表示させない。
【００８０】
なお、図１１において、特典提供用の二次元コードＡの一部Ａ１，Ａ２は、中央リール１２ａ２及び右リール１２ａ３の背景領域Ｂ２，Ｂ３に描かれているが、これに限らず、左リール１２ａ１及び中央リール１２ａ２の背景領域Ｂ１，Ｂ２に描かれていてもよい。さらに、図１１に示すように、特典提供用の二次元コードＡの残部Ａ３は、左リールカバー１２ａ４に描かれていてもよい。
【００８１】
このようにして、第４実施形態に係る特典提供システム１及び遊技台１０によれば、第１実施形態と同様に、液晶表示部１１の有無に拘わらず二次元コードＡを表示可能であり、且つ、表示した二次元コードＡの見落とし頻度を抑制することができる。また、遊技台の稼働率向上に寄与することができ、不正に特典が取得されてしまうことを抑制することができる。また、遊技者に便宜をはかることができる。
【００８２】
さらに、第４実施形態によれば、特典提供用の二次元コードＡの一部Ａ１は中央リール１２ａ２の背景領域Ｂ２に描かれており、特典提供用の二次元コードＡの他の一部Ａ２は中央リール１２ａ２に隣り合う右リール１２ａ３の背景領域Ｂ３に描かれており、特典提供用の二次元コードＡの残部Ａ３は、中央リール１２ａ２及び右リール１２ａ３に挟まれて視認される右リールカバー１２ａ５に描かれている。さらに、遊技台１０は、所定条件成立時に中央リール１２ａ２及び右リール１２ａ３を停止させて、二次元コードＡの一部分Ａ１〜Ａ３を組み合わせることにより、特典提供用の二次元コードＡを表示させる。このため、雑誌やカタログに特典提供用の二次元コードＡが掲載されたとしても、特典提供用の二次元コードＡが分割されて掲載される。特に、特典提供用の二次元コードの残部Ａ３はリールカバーに描かれているため、雑誌やカタログに掲載される可能性が低く、不正に特典が取得されてしまうことを一層抑制することができる。
【００８３】
次に、本発明の第５実施形態を説明する。第５実施形態に係る特典提供システムは、第２実施形態のものと同様であるが、構成及び処理内容が一部異なっている。以下、第２実施形態との相違点を説明する。
【００８４】
図１２は、第５実施形態に係る複数のリール１２ａの詳細構成図である。図１２に示すように、第５実施形態に係る特典提供システム１において、特典提供用の二次元コードＡの一部Ａ１は、複数のリール１２ａのうち、左リール（第１のリール）１２ａ１の背景領域Ｂ１に描かれている。さらに、特典提供用の二次元コードＡの一部Ａ１は、中央リール（第１のリール）１２ａ２の背景領域Ｂ２にも描かれている。
【００８５】
また、第５実施形態に係る特典提供システム１において、特典提供用の二次元コードＡの他の一部Ａ２は、左リール１２ａ１に隣り合う中央リール（第２のリール）１２ａ２の背景領域Ｂ２に描かれている。さらに、特典提供用の二次元コードＡの一部Ａ１は、中央リール１２ａ２に隣り合う右リール（第２のリール）１２ａ３の背景領域Ｂ３にも描かれている。
【００８６】
図１３は、第５実施形態に係るパネル１２ｂの詳細構成図である。第５実施形態においてパネル１２ｂは、複数のリール１２ａの１つずつに対応して３つの透明窓１２ｂ１〜１２ｂ３が設けられている。また、パネル１２ｂは、これら透明窓１２ｂ１〜１２ｂ３以外の領域が着色されている。さらに、第５実施形態において特典提供用の二次元コードＡの残部Ａ３は、パネル１２ｂのうち、左リール１２ａ１及び中央リール１２ａ２に挟まれて遊技者に視認される領域Ｃ１に描かれている。同様に、特典提供用の二次元コードＡの残部Ａ３は、パネル１２ｂのうち、中央リール１２ａ２及び右リール１２ａ３に挟まれて遊技者に視認される領域Ｃ２に描かれている。
【００８７】
また、第５実施形態においてリール制御部１８ｃは、所定条件成立時に左リール１２ａ１及び中央リール１２ａ２のそれぞれに描かれた特典提供用の二次元コードＡの一部分Ａ１，Ａ２と、パネル１２ｂに描かれた特典提供用の二次元コードＡの一部分Ａ３とを組み合わせるように、左リール１２ａ１及び中央リール１２ａ２を停止させることにより、特典提供用の二次元コードＡを表示させる。逆に、所定条件が成立していない場合、リール制御部１８ｃは、特典提供用の二次元コードＡの一部分Ａ１〜Ａ３を組み合わせるように左リール１２ａ１及び中央リール１２ａ２を停止させず、特典提供用の二次元コードＡを表示させない。
【００８８】
同様に、リール制御部１８ｃは、所定条件成立時に中央リール１２ａ２及び右リール１２ａ３のそれぞれに描かれた特典提供用の二次元コードＡの一部分Ａ１，Ａ２と、パネル１２ｂに描かれた特典提供用の二次元コードＡの一部分Ａ３とを組み合わせるように、中央リール１２ａ２及び右リール１２ａ３を停止させることにより、特典提供用の二次元コードＡを表示させる。逆に、所定条件が成立していない場合、リール制御部１８ｃは、特典提供用の二次元コードＡの一部分Ａ１〜Ａ３を組み合わせるように中央リール１２ａ２及び右リール１２ａ３を停止させず、特典提供用の二次元コードＡを表示させない。
【００８９】
なお、所定条件成立時には、図１２及び図１３に示される２つの特典提供用の二次元コードＡの双方を表示する必要はなく、いずれか１つのみを表示するようにすればよい。
【００９０】
このようにして、第５実施形態に係る特典提供システム１及び遊技台１０によれば、第１実施形態と同様に、液晶表示部１１の有無に拘わらず二次元コードＡを表示可能であり、且つ、表示した二次元コードＡの見落とし頻度を抑制することができる。また、遊技台の稼働率向上に寄与することができ、不正に特典が取得されてしまうことを抑制することができる。また、遊技者に便宜をはかることができる。
【００９１】
さらに、第５実施形態によれば、特典提供用の二次元コードＡの一部Ａ１は左リール１２ａ１の背景領域Ｂ１に描かれており、特典提供用の二次元コードＡの他の一部Ａ２は左リール１２ａ１に隣り合う中央リール１２ａ２の背景領域Ｂ２に描かれている。また、特典提供用の二次元コードＡの残部Ａ３は、左リール１２ａ１及び中央リール１２ａ２に挟まれて視認されるパネル部分Ｃ１に描かれている。さらに、遊技台は、所定条件成立時に左リール１２ａ１及び中央リール１２ａ２を停止させて、特典提供用の二次元コードＡの一部分Ａ１〜Ａ３を組み合わせることにより、特典提供用の二次元コードＡを表示させる。このため、雑誌やカタログに特典提供用の二次元コードＡが掲載されたとしても、特典提供用の二次元コードＡが分割されて掲載される。特に、特典提供用の二次元コードＡの残部Ａ３はパネルに描かれているため、雑誌やカタログに掲載される可能性が低く、不正に特典が取得されてしまうことを一層抑制することができる。
【００９２】
次に、本発明の第６実施形態を説明する。第６実施形態に係る特典提供システムは、第２実施形態のものと同様であるが、構成及び処理内容が一部異なっている。以下、第２実施形態との相違点を説明する。
【００９３】
図１４は、第６実施形態に係る複数のリール１２ａの詳細構成図である。図１２に示すように、第６実施形態に係る特典提供システム１において、特典提供用の二次元コードＡの一部Ａ１は、複数のリール１２ａのうち、左リール（１つのリール）１２ａ１の背景領域Ｂ１に描かれている。さらに、特典提供用の二次元コードＡの一部Ａ１は、右リール（１つのリール）１２ａ３の背景領域Ｂ３にも描かれている。
【００９４】
図１５は、第６実施形態に係るパネル１２ｂの詳細構成図である。第６実施形態においてパネル１２ｂは、第５実施形態と同様に、３つの透明窓１２ｂ１〜１２ｂ３を有し、透明窓１２ｂ１〜１２ｂ３以外の領域が着色されている。さらに、第５実施形態において特典提供用の二次元コードＡの残部Ａ２は、パネル１２ｂのうち、左リール１２ａ１に隣り合って遊技者に視認される領域Ｄ１に描かれている。同様に、特典提供用の二次元コードＡの残部Ａ２は、パネル１２ｂのうち、右リール１２ａ３に隣り合って遊技者に視認される領域Ｄ２にも描かれている。
【００９５】
また、第６実施形態においてリール制御部１８ｃは、所定条件成立時に左リール１２ａ１に描かれた特典提供用の二次元コードＡの一部分Ａ１と、パネル１２ｂに描かれた特典提供用の二次元コードＡの残部Ａ２とを組み合わせるように、左リール１２ａ１を停止させることにより、特典提供用の二次元コードＡを表示させる。逆に、所定条件が成立していない場合、リール制御部１８ｃは、特典提供用の二次元コードＡの一部分Ａ１，Ａ２を組み合わせるように左リール１２ａ１を停止させず、特典提供用の二次元コードＡを表示させない。
【００９６】
同様に、リール制御部１８ｃは、所定条件成立時に右リール１２ａ３に描かれた特典提供用の二次元コードＡの一部分Ａ１と、パネル１２ｂに描かれた特典提供用の二次元コードＡの残部Ａ２とを組み合わせるように、右リール１２ａ３を停止させることにより、特典提供用の二次元コードＡを表示させる。逆に、所定条件が成立していない場合、リール制御部１８ｃは、特典提供用の二次元コードＡの一部分Ａ１，Ａ２を組み合わせるように右リール１２ａ３を停止させず、特典提供用の二次元コードＡを表示させない。
【００９７】
なお、所定条件成立時には、図１４及び図１５に示される２つの特典提供用の二次元コードＡの双方を表示する必要はなく、いずれか１つのみを表示するようにすればよい。また、中央リール１２ａ２の背景領域Ｂ２に特典提供用の二次元コードＡの一部Ａ１が描かれ、中央リール１２ａ２に隣り合って遊技者に視認される領域に特典提供用の二次元コードＡの残部Ａ２が描かれていてもよい。
【００９８】
このようにして、第６実施形態に係る特典提供システム１及び遊技台１０によれば、第１実施形態と同様に、液晶表示部１１の有無に拘わらず二次元コードＡを表示可能であり、且つ、表示した二次元コードＡの見落とし頻度を抑制することができる。また、遊技台の稼働率向上に寄与することができ、不正に特典が取得されてしまうことを抑制することができる。また、遊技者に便宜をはかることができる。
【００９９】
さらに、第６実施形態によれば、特典提供用の二次元コードＡの一部Ａ１は左リール１２ａ１の背景領域Ｂ１に描かれており、特典提供用の二次元コードＡの残部Ａ２は、左リール１２ａ１隣り合って視認されるパネル部分Ｄ１に描かれている。さらに、遊技台は、所定条件成立時に左リール１２ａ１を停止させて、特典提供用の二次元コードＡの一部分Ａ１，Ａ２を組み合わせることにより、特典提供用の二次元コードＡを表示させる。このため、雑誌やカタログに特典提供用の二次元コードの一部Ａ１が掲載されたとしても、残部Ａ２はパネルに描かれているため、雑誌やカタログに掲載される可能性が低く、不正に特典が取得されてしまうことを一層抑制することができる。なお、特典提供用の二次元コードＡの一部Ａ１が中央リール１２ａ２及び右リール１２ａ３に描かれている場合も同様である。
【０１００】
以上、本発明に係る特典提供システム及び遊技台を実施形態に基づいて説明したが、本発明はこれに限定されるものではなく、本発明の趣旨を逸脱しない範囲で、変更を加えてもよい。
【０１０１】
例えば、上記実施形態において遊技台１０は、複数種類の特典提供用の二次元コードＡを表示可能となっていることが望ましい。表示させる特典提供用の二次元コードＡに応じて取得させる特典を分けることができるからである。
【図面の簡単な説明】
【０１０２】
【図１】本発明の第１実施形態に係る特典提供システムの構成図である。
【図２】図１に示した遊技台の外観を示す外観斜視図である。
【図３】図１に示した遊技台の要部構成図である。
【図４】特典提供用の二次元コードの表示例を示す図である。
【図５】図１に示したホストコンピュータの概略構成図である。
【図６】端末に表示される表示画像の一例を示す図であり、（ａ）は第１の例を示し、（ｂ）は第２の例を示している。
【図７】第１実施形態に係る特典提供システムの処理を示すフローチャートである。
【図８】第２実施形態に係る特典提供用の二次元コードを示す図である。
【図９】第２実施形態に係る遊技台の要部を示す図である。
【図１０】第３実施形態に係る特典提供用の二次元コードを示す図である。
【図１１】第４実施形態に係る特典提供用の二次元コードを示す図である。
【図１２】第５実施形態に係る複数のリールの詳細構成図である。
【図１３】第５実施形態に係るパネルの詳細構成図である。
【図１４】第６実施形態に係る複数のリールの詳細構成図である。
【図１５】第６実施形態に係るパネルの詳細構成図である。
【符号の説明】
【０１０３】
１０  遊技台
１０ａ  上部ボックス
１０ｂ  下部ボックス
１１  液晶表示部
１２  リール部
１２ａ  複数のリール
１２ｂ  パネル
１３  メダル投入口
１３ａ  メダルセンサ
１４  マックスベットボタン
１５  スピンレバー
１６  リール停止ボタン
１７  メダル払出口
１７ａ  ホッパー
１８  制御部
１８ａ  条件判断部
１８ｂ  液晶制御部
１８ｃ  リール制御部
１８ｄ  発光制御部
１９  発光部
２０  端末
２０  ホストコンピュータ
４０  インターネット回線
【図１】
2008228790.tif 000003
【図２】
2008228790.tif 000004
【図３】
2008228790.tif 000005
【図４】
2008228790.tif 000006
【図５】
2008228790.tif 000007
【図６】
2008228790.tif 000008
【図７】
2008228790.tif 000009
【図８】
2008228790.tif 000010
【図９】
2008228790.tif 000011
【図１０】
2008228790.tif 000012
【図１１】
2008228790.tif 000013
【図１２】
2008228790.tif 000014
【図１３】
2008228790.tif 000015
【図１４】
2008228790.tif 000016
【図１５】
2008228790.tif 000017
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
複数種類のシンボルが描かれ且つ回転可能な複数のリール及び前記複数のリールの前面に設けられたパネルとからなるリール部を含み、複数のリール回転後に停止したシンボルの配置状態に応じて遊技媒体が払い出される共に、所定条件成立時には前記リール部に特典提供用の二次元コードを表示させる遊技台と、
前記遊技台に表示された特典提供用の二次元コードを入力可能な端末と、
前記端末に特典提供用の二次元コードが入力されて前記端末がアクセスしてきた場合、特典を前記端末のユーザに与えるサーバと、を備え、
前記遊技台は、遊技中に各種演出画像を表示する液晶表示部をさらに含み、前記リール部に特典提供用の二次元コードを表示させると共に、前記液晶表示部に補助用の二次元コードを表示させ、
前記サーバは、前記端末に特典提供用の二次元コードが入力されて前記端末がアクセスしてきた場合に、前記補助用の二次元コードの入力を前記端末のユーザに促し、前記補助用の二次元コードが前記端末に入力された場合に、特典を前記端末のユーザに与える
ことを特徴とする特典提供システム。
【請求項２】
前記遊技台は、前記リール部に特典提供用の二次元コードを表示させると共に、前記特典提供用の二次元コードが前記端末に入力されて前記端末が前記サーバにアクセスした場合に得られる特典の情報を、前記液晶表示部に表示させる
ことを特徴とする請求項１に記載の特典提供システム。
【請求項３】
前記特典提供用の二次元コードは、前記パネルに描かれており、特定波長の光が照射されることにより遊技者に視認可能となり、
前記遊技台は、前記所定条件成立時に前記パネルに特定波長の光を照射することにより、前記特典提供用の二次元コードを表示させる
ことを特徴とする請求項１又は請求項２のいずれかに記載の特典提供システム。
【請求項４】
前記特典提供用の二次元コードは、前記複数のリールに描かれたシンボルの１つであって、
前記遊技台は、所定条件成立時にシンボルの１つである前記特典提供用の二次元コードを、遊技者が視認可能な位置に停止させる
ことを特徴とする請求項１〜請求項３のいずれか１項に記載の特典提供システム。
【請求項５】
前記特典提供用の二次元コードの一部は、前記複数のリールのうち、第１のリールのシンボルが描かれた領域を除く背景領域に描かれており、
前記特典提供用の二次元コードの他の一部は、前記複数のリールのうち、前記第１のリールに隣り合う第２のリールのシンボルが描かれた領域を除く背景領域に描かれており、
前記遊技台は、所定条件成立時に前記第１及び第２のリールそれぞれに描かれた特典提供用の二次元コードの一部分を組み合わせるように、前記第１及び第２のリールを停止させることにより、特典提供用の二次元コードを表示させる
ことを特徴とする請求項１〜請求項３のいずれか１項に記載の特典提供システム。
【請求項６】
前記特典提供用の二次元コードの一部は、前記複数のリールのうち、第１のリールのシンボルが描かれた領域を除く背景領域に描かれており、
前記特典提供用の二次元コードの他の一部は、前記複数のリールのうち、前記第１のリールに隣り合う第２のリールのシンボルが描かれた領域を除く背景領域に描かれており、
前記特典提供用の二次元コードの残部は、前記第１及び第２のリールに挟まれるリールカバーに描かれており、
前記遊技台は、所定条件成立時に前記第１及び第２のリールそれぞれに描かれた二次元コードの一部分と前記リールカバーに描かれた二次元コードの一部分とを組み合わせるように、前記第１及び第２のリールを停止させることにより、二次元コードを表示させる
ことを特徴とする請求項１〜請求項３のいずれか１項に記載の特典提供システム。
【請求項７】
前記特典提供用の二次元コードの一部は、前記複数のリールのうち、第１のリールのシンボルが描かれた領域を除く背景領域に描かれており、
前記特典提供用の二次元コードの他の一部は、前記複数のリールのうち、前記第１のリールに隣り合う第２のリールのシンボルが描かれた領域を除く背景領域に描かれており、
前記特典提供用の二次元コードの残部は、前記パネルのうち前記第１及び第２のリールに挟まれて遊技者に視認される領域に描かれており、
前記遊技台は、所定条件成立時に前記第１及び第２のリールそれぞれに描かれた特典提供用の二次元コードの一部分と前記パネルに描かれた特典提供用の二次元コードの一部分とを組み合わせるように前記第１及び第２のリールを停止させることにより、特典提供用の二次元コードを表示させる
ことを特徴とする請求項１〜請求項３のいずれか１項に記載の特典提供システム。
【請求項８】
前記特典提供用の二次元コードの一部は、前記複数のリールのうち、１つのリールのシンボルが描かれた領域を除く背景領域に描かれており、
前記特典提供用の二次元コードの残部は、前記パネルのうち前記１つのリールに隣り合って遊技者に視認される領域に描かれており、
前記遊技台は、所定条件成立時に前記１つのリールに描かれた特典提供用の二次元コードの一部分と前記パネルに描かれた特典提供用の二次元コードの一部分とを組み合わせるように前記１つのリールを停止させることにより、特典提供用の二次元コードを表示させる
ことを特徴とする請求項１〜請求項３のいずれか１項に記載の特典提供システム。
【請求項９】
前記遊技台は、複数種類の特典提供用の二次元コードを表示可能となっている
ことを特徴とする請求項１〜請求項８のいずれか１項に記載の特典提供システム。
【請求項１０】
複数種類のシンボルが描かれ且つ回転可能な複数のリール及び前記複数のリールの前面に設けられたパネルとからなるリール部、並びに遊技中に各種演出画像を表示する液晶表示部を含み、複数のリール回転後に停止したシンボルの配置状態に応じて遊技媒体が払い出され、且つ、所定条件成立時には端末が入力可能な特典提供用の二次元コードと補助用の二次元コードとを表示させ、
前記特典提供用の二次元コードは、前記端末に入力されて前記端末がサーバにアクセスした場合に、前記補助用の二次元コードの入力を前記端末のユーザに促すものであって、
前記補助用の二次元コードは、前記端末に入力されて前記端末がサーバにアクセスした場合に、特典を前記端末のユーザに対して与えるためのものである
ことを特徴とする遊技台。
【手続補正２】
【補正対象書類名】明細書
【補正対象項目名】０００５
【補正方法】変更
【補正の内容】
【０００５】
上記目的を達成するため、本発明に係る特典提供システムは、遊技台と、端末と、サーバとを備えている。遊技台は、複数種類のシンボルが描かれ且つ回転可能な複数のリール及び複数のリールの前面に設けられたパネルとからなるリール部を含み、複数のリール回転後に停止したシンボルの配置状態に応じて遊技媒体が払い出される共に、所定条件成立時にはリール部に特典提供用の二次元コードを表示させるものである。端末は、遊技台に表示された特典提供用の二次元コードを入力可能なものである。サーバは、端末に特典提供用の二次元コードが入力されて端末がアクセスしてきた場合、特典を端末のユーザに与えるものである。さらに、遊技台は、遊技中に各種演出画像を表示する液晶表示部をさらに含み、リール部に特典提供用の二次元コードを表示させると共に、液晶表示部に補助用の二次元コードを表示させ、サーバは、端末に特典提供用の二次元コードが入力されて端末がアクセスしてきた場合に、補助用の二次元コードの入力を端末のユーザに促し、補助用の二次元コードが端末に入力された場合に、特典を端末のユーザに与える。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】００１６
【補正方法】変更
【補正の内容】
【００１６】
また、上記目的を達成するため、本発明に係る遊技台は、複数種類のシンボルが描かれ且つ回転可能な複数のリール及び複数のリールの前面に設けられたパネルとからなるリール部、並びに遊技中に各種演出画像を表示する液晶表示部を含み、複数のリール回転後に停止したシンボルの配置状態に応じて遊技媒体が払い出され、且つ、所定条件成立時には端末が入力可能な特典提供用の二次元コードと補助用の二次元コードとを表示させる。特典提供用の二次元コードは、端末に入力されて端末がサーバにアクセスした場合に、補助用の二次元コードの入力を端末のユーザに促すものであって、補助用の二次元コードは、端末に入力されて端末がサーバにアクセスした場合に、特典を端末のユーザに対して与えるためのものである。